(57)【特許請求の範囲】
【請求項１】
前後方向に傾斜する一方の屋根の後枠と、左右方向に傾斜し且つ一方の屋根に隣接する他方の屋根の側枠との間に配置するものであり、パネル上端受けと、パネル下端受けと、パネルとを備え、
パネル上端受けは、後枠と側枠とのうちの相対的に高い位置にある上方枠に固定してあり、
パネル下端受けは、後枠と側枠とのうちの相対的に低い位置にある下方枠に係止してあり、
パネルは、側面視略三角形状を成し、上端をパネル上端受けにネジ止めし且つ下端をパネル下端受けにネジ止めして略垂直に配置してあり、
パネル下端受けと下方枠との係止部におけるパネル下端受けと下方枠の間に緩衝材を配置してあることを特徴とする屋根連結具。
【請求項２】
パネル下端受けは、上面に樋部を有していることを特徴とする請求項１記載の屋根連結具。
【発明の詳細な説明】
【技術分野】
【０００１】
本発明は、相互に隣接する屋根の連結具に関し、特に片側流れ形状の屋根をＴ字状に連結する屋根連結具に係る。
【背景技術】
【０００２】
特開平０９−０３２１８１号公報及び実用新案登録第２５８４４１５号公報には、隣接するアーチ型の屋根同士をＴ字状に連結する構造を開示するが、この構造は隣接する屋根の梁の高さが同じであるので簡単につなぐことができるが、前後方向に傾斜する片流れ屋根と、それに対して左右方向に傾斜する片流れ屋根との連結の場合には、梁の高さが同じ位置にならず、上記連結構造を適用できない。
そこで、前後方向に傾斜する片流れの屋根に対して左右方向に傾斜する片流れ屋根を連結できる屋根連結具が必要になる。
【０００３】
【特許文献１】特開平０９−０３２１８１号公報
【特許文献２】実用新案登録第２５８４４１５号公報
【発明の開示】
【発明が解決しようとする課題】
【０００４】
本発明は、上記背景技術に有する技術的課題に鑑みて、相互に隣接する片流れ屋根をＴ字状に連結できて、しかも屋根の傾斜方向及び相対的屋根高さの相異に対応して、組み換え可能な屋根連結具の提供を目的とする。
【課題を解決するための手段】
【０００５】
本発明に係る屋根連結具は、前後方向に傾斜する一方の屋根の後枠と、左右方向に傾斜し且つ一方の屋根に隣接する他方の屋根の側枠との間に配置するものであり、パネル上端受けと、パネル下端受けと、パネルとを備え、パネル上端受けは、後枠と側枠とのうちの相対的に高い位置にある上方枠に固定してあり、パネル下端受けは、後枠と側枠とのうちの相対的に低い位置にある下方枠に係止してあり、パネルは、側面視略三角形状を成し、上端をパネル上端受けにネジ止めし且つ下端をパネル下端受けにネジ止めして略垂直に配置してあり、パネル下端受けと下方枠との係止部におけるパネル下端受けと下方枠の間に緩衝材を配置してあることを特徴とする。
この場合にパネル下端受けは、その上面に樋部を有してもよい。
【０００６】
ここで前後方向に傾斜する一方の屋根と左右方向に傾斜する他方の屋根との関係は、相互に屋根を連結する屋根連結具に向かって前後方向に傾斜している屋根を「一方の屋根」といい、屋根連結具に沿って左右方向のどちらかに傾斜している屋根を「他方の屋根」と表現する。
また、前後方向に傾斜する屋根の前後両端部に有する屋根枠の内、屋根連結具を固定又は係着する側を後枠といい、左右方向に傾斜する屋根を構成する屋根枠の内、屋根連結具を固定又は係止する側を側枠と表現する。
【０００７】
パネルを側面視略三角形状に成しとは、パネルを略垂直に配置した際のパネル平面部に向かって見た方向の形状が略三角形状であることをいう。
【発明の効果】
【０００８】
隣接する前後方向に傾斜する片流れ屋根と左右方向に傾斜する片流れ屋根を連結する場合に、相対的な屋根高さと傾斜方向の組み合わせにて４種類の連結パターンがあり得るが、本発明においては、屋根連結具を、パネル上端受けとパネル下端受けとをパネルにネジ止めする三分割にしたことにより、連結する相互の相対的屋根高さ及び傾斜方向に合わせて略三角形状のパネルの上下、左右の向きを替えるだけで、それらの屋根の連結パターンの全てに容易に対応できる。
パネル下端受けと、屋根の下方枠との係止部に緩衝材を設けたことにより、連結部の寸法バラツキや温度変化による変形を吸収できる。
【０００９】
請求項２記載の発明においては、パネル下端受けの上面に樋部を設けたことにより、屋根の連結部からの雨水等の排水性に優れる。
【発明を実施するための最良の形態】
【００１０】
本発明に係る屋根連結具は、前後方向に傾斜する一方の屋根と、左右方向に傾斜する他方の屋根との各種屋根高さ及び傾斜方向の組み合わせに対応できるが、以下、その代表例について説明する。
図１に示した例は、一方の屋根１の後枠１ｃの方が、他方の屋根２の側枠２ｃより低い位置にあり、Ｔ字状に連結してある場合である。
また、一方の屋根１の前側１ｂが後側１ａより高く、屋根が屋根連結具１０に向けて下方向に片流れに傾斜していて、他方の屋根２は、図１において左側の屋根端２ａが右側の屋根端２ｂより低い左側に下方向に傾斜している場合である。
【００１１】
屋根連結具１０は、パネル上端受け１１とパネル１３とパネル下端受け１２とに三分割してある。
図１のＡ−Ａ線断面図を図２に、Ｂ−Ｂ線断面図を図３にそれぞれ示す。
相対的に高い位置にある他方の屋根２の側枠（上方枠）２ｃにパネル上端受け１１がビス等の固定部材１１ａを用いて固定してある。
パネル上端受け１１は、側枠２ｃへの取付面とパネル１３の上端をネジ止めするための垂下片を有する断面略Ｓ字状になっている。
相対的に低い位置にある一方の屋根１の後枠（下方枠）１ｃにパネル下端受け１２を係止してある。
図２、図３に示すように、パネル下端受け１２は、断面の略Ｓ字状にして後枠への係止部１２ｂと、上面に樋部１２ａを形成し、係止部１２ｂは、上方が一方の屋根（後枠）側に向けて広がるように傾斜させてあり、後枠側の傾斜面１０１ｃと係止するようになっていて、その係止部におけるパネル下端受けと下方枠の間に位置し、パネル下端受けの下面に緩衝材１５を接着剤等で取り付けて寸法バラツキ、取付誤差、熱変形等を吸収している。
【００１２】
パネル１３は、パネル上端受け１１とパネル下端受け１２とを概ね垂直方向につなぐように配置してあり、パネル面から見た側面視は略三角形状になっていて、図１に示した例では、一方の屋根の後枠１ｃに沿った辺がほぼ水平で、他方の屋根の側枠２ｃに沿った辺が斜辺となる略直角三角形状になっている。
図２及び図３に示すように、パネル１３のほぼ上端側には上端受け連結孔１３ａを有し、ほぼ下端側には、下端受け連結孔１３ｂを有していてパネル上端受け１１とパネル下端受け１２とがそれぞれボルト、ビス等のネジ止め部材１４ａ、１４ｂでネジ止めしてある。
なお、図３に示すように一方の屋根と他方の屋根の高さが接近した部分では、パネル１３の上端受け連結孔１３ａと下端受け連結孔１３ｂとが上下逆転するように連結孔１３ａ、１３ｂの配列をクロスさせることで樋部１２ａを確保している。
【００１３】
図４に示す例は、図１とは逆に、一方の屋根１の後枠１ｃの方が、他方の屋根２の側枠２ｃより高い位置にある場合である。
なお、屋根連結具１０が分かりやすいように、他方の屋根２を手前側に現してある。
この場合には、他方の屋根２の側枠２ｃの方が、一方の屋根１の後枠１ｃよりも相対的に低い位置にあるので、パネル１３は、図１の場合とは上下逆になり、パネル上端受け側の辺がほぼ水平でパネル下端受け側の辺が斜辺となるように配置してある。
このように図１の例に対して図４の例は、パネル１３を上下逆に配置するだけで、図５及び図６に示すようにパネル上端受け１１とパネル下端受け１３に図１の例と同様にネジ止めできる。
図７に示す例は、図１の例に対して他方の屋根２の傾斜方向が逆であり、図８に示す例は、図４の例に対して他方の屋根２の傾斜方向が逆であり、これらの場合には、パネル１３をそれぞれ図１、図４の例に対して左右逆にするだけで連結できる。
【図面の簡単な説明】
【００１４】
【図１】本発明に係る屋根連結具を用いて屋根を連結した例を示す。
【図２】図１のＡ−Ａ線断面端面図を示す。
【図３】図１のＢ−Ｂ線断面端面図を示す。
【図４】屋根連結の他の実施例を示す。
【図５】図４のＡ−Ａ線断面端面図を示す。
【図６】図４のＢ−Ｂ線断面端面図を示す。
【図７】図１の例に対して他方の屋根の傾斜方向が左右逆である例を示す。
【図８】図４の例に対して他方の屋根の傾斜方向が左右逆である例を示す。
【符号の説明】
【００１５】
１      一方の屋根
２      他方の屋根
１０    屋根連結具
１１    パネル上端受け
１２    パネル下端受け
１２ａ  パネル下端受けの樋部
１３    パネル
１５    緩衝材
【図１】
0004560729.tif 000002
【図２】
0004560729.tif 000003
【図３】
0004560729.tif 000004
【図４】
0004560729.tif 000005
【図５】
0004560729.tif 000006
【図６】
0004560729.tif 000007
【図７】
0004560729.tif 000008
【図８】
0004560729.tif 000009